(57)【特許請求の範囲】
【請求項１】
コンピュータに接続され、読み取られた画像を前記コンピュータのモニタによって表示するリモートモードと、前記コンピュータとは独立に動作し、前記画像を液晶モニタによって表示するスタンドアロンモードとにより動作可能な画像読取装置において、
前記液晶モニタは前記画像読取装置の本体に枢着され、
前記本体に、前記リモートモードと前記スタンドアロンモードの切替えを行なうためのモード切替スイッチが設けられ、
前記液晶モニタを前記本体側に倒した状態において、前記液晶モニタが前記モード切替スイッチを押下して前記リモートモードが設定され、
前記液晶モニタを前記本体から起した状態において、前記液晶モニタが前記切替スイッチを解放して前記スタンドアロンモードが設定され、
前記リモートモードにおいて前記液晶モニタのバックライトをオフ状態に定め、かつ、前記スタンドアロンモードにおいて前記液晶モニタおよび前記バックライトをオン状態に定めることを特徴とする画像読取装置。
【請求項２】
前記リモートモードにおいて前記画像の読取動作に不必要な回路ブロックに電力を供給しないことを特徴とする請求項１に記載の画像読取装置。
【請求項３】
前記液晶モニタを本体側に倒すことにより前記モード切替スイッチが全押しされて前記切替えが行なわれ、かつ、前記モード切替スイッチを半押しして解放することによっても前記切替えが実行可能であることを特徴とする請求項１に記載の画像読取装置。
【発明の詳細な説明】
【０００１】
【発明の属する技術分野】
本発明は、例えばフィルムに記録された画像を光学センサによって読取る画像読取装置に関し、特に、消費電力を削減するための改良に関する。
【０００２】
【従来の技術】
従来、フィルムに記録された画像を、画像読取装置においてラインセンサによって読取り、画像読取装置に接続されたコンピュータのディスプレイ装置の画面上に表示するように構成された画像読取システムが知られている。このような画像読取システムでは、画像データを最終的に記録媒体等に記録するための画像読取動作である本スキャンに先立って、相対的に粗いピッチでプリスキャンが行なわれる。プリスキャンによって得られたプレビュー画像はディスプレイ装置の画面に表示され、ユーザはプレビュー画像を見て、所望の画質を得るために種々のパラメータを調整することができる。
【０００３】
【発明が解決しようとする課題】
画像読取装置の中には、コンピュータを介さずに単独（スタンドアロンモード）で動作して記録媒体に画像データを記録できるように構成されたものもある。出願人は特願平１１−５２７９号において、スタンドアロンモードで動作可能な画像読取装置において、プレビュー画像の画質の調整を実行可能にするために液晶モニタ等の画像表示装置を設ける構成を提案した。しかし、液晶モニタを採用した場合、消費電力が大きいという問題がある。
【０００４】
本発明は、コンピュータを接続したリモートモードとスタンドアロンモードにより動作可能な画像読取装置において、消費電力を極力削減することを目的としている。
【０００５】
【課題を解決するための手段】
本発明に係る画像読取装置は、リモートモードにおいて液晶モニタのバックライトをオフ状態に定め、かつ、スタンドアロンモードにおいて液晶モニタおよびバックライトをオン状態に定めることを特徴としている。
【０００６】
画像読取装置は、リモートモードにおいて前記画像の読取動作に不必要な回路ブロックに電力を供給しないように構成してもよい。これにより、さらに消費電力を削減することができる。
【０００７】
液晶モニタが画像読取装置の本体に枢着され、本体に、リモートモードとスタンドアロンモードの切替えを行なうためのモード切替スイッチが設けられてもよい。この構成では例えば、液晶モニタを本体側に倒した状態において、液晶モニタがモード切替スイッチを押下してリモートモードが設定され、液晶モニタを本体から起した状態において、液晶モニタが切替スイッチを解放してスタンドアロンモードが設定される。あるいは、液晶モニタを本体側に倒すことによりモード切替スイッチが全押しされて切替えが行なわれ、かつ、モード切替スイッチを半押しして解放することによっても切替えが実行できるように構成することもできる。
【０００８】
【発明の実施の形態】
以下、本発明の実施形態を図面を参照して説明する。
図１は、本発明の第１の実施形態である画像読取装置を示すブロック図である。
【０００９】
この画像読取装置において用いられる被読取原稿Ｍは透過原稿（ネガフィルム）であり、このフィルムにはカラー画像が記録されている。フィルムＭは原稿移送機構１０によって矢印Ａ方向に間欠的に移送される。フィルムＭの通過経路の上方には光源２０とシリンドリカルレンズ２３が配設され、また下方には結像レンズ３１とラインセンサ３０が設けられている。光源２０の点灯と消灯は光源駆動回路４１によって、またラインセンサ３０による画像の検出動作はラインセンサ駆動回路４２によって制御される。原稿移送機構１０、光源駆動回路４１およびラインセンサ駆動回路４２はシステムコントロール回路４０から出力される指令信号に従って動作する。
【００１０】
ラインセンサ３０から読み出された画像データはアンプ４３により増幅され、Ａ／Ｄ変換器４４によってデジタル信号に変換される。デジタルの画像データは、画像処理回路４５においてシェーディング補正を施された後、メモリ４６に一旦格納される。この画像データはメモリ４６から読み出され、色補正、ガンマ補正等の所定の演算処理を施される。この画像データは、インターフェース回路４７において所定のフォーマットに従った信号に変換され、入出力端子４８を介して、この画像読取装置に接続されたコンピュータ８０に出力可能である。これにより、カラー画像がコンピュータ８０に接続されたディスプレイ装置８１によって表示される。画像処理回路４５とインターフェース回路４７は、システムコントロール回路４０により制御される。
【００１１】
システムコントロール回路４０には、ビデオ用メモリ５１とデジタルエンコーダ５２が接続され、デジタルエンコーダ５２には液晶モニタ５３とビデオ出力端子５４が接続されている。ビデオ用メモリ５１には、メモリ４６から読み出された画像データが例えばＲ、Ｇ、Ｂのデジタル画像データの形式で格納される。この画像データは、デジタルエンコーダ５２においてアナログのＲ、Ｇ、Ｂの画像データに変換され、液晶モニタ５３に出力される。またデジタルエンコーダ５２では、ビデオ用メモリ５１から読み出された画像データに基づいてコンポジットのビデオ信号が生成され、ビデオ出力端子５４から外部の映像表示装置（図示せず）に出力される。
【００１２】
システムコントロール回路４０にはバックライト駆動回路５５が接続されており、バックライト駆動回路５５により、液晶モニタ５３のバックライト５６のオンオフ制御が行なわれる。
【００１３】
さらにシステムコントロール回路４０には、トラックボール５７とクリックボタン５８とモード切替スイッチ５９（図２参照）を備えたスイッチ６１が接続され、また電源回路６０が接続されている。電源回路６０は、電力供給コネクタ６２を介して供給される電力を画像読取装置内の電気回路に供給するものであり、電源がオン状態のときに点灯する表示ランプ６３が接続されている。
【００１４】
図２は画像読取装置を前方から見た斜視図である。
本体１７の上面には液晶モニタ５３が枢着され、矢印Ｂに沿って回動自在である。液晶モニタ５３は、画面５３ａが下になる方向に回転して本体１７の上面に当接する。本体１７の上面にはモード切替スイッチ５９が設けられている。モード切替スイッチ５９は図示しないバネによって常時上方に付勢されており、液晶モニタ５３の外枠５３ｂに押圧されることにより本体１７内に入り込むが、外枠５３ｂによって押圧されないときは本体１７の上面から突出している。モード切替スイッチ５９を外枠５３ｂによって操作することにより、画像読取装置は、読み取られた画像をコンピュータ８０のディスプレイ装置（モニタ）８１によって表示するリモートモードと、コンピュータ８０とは独立に動作し、画像を液晶モニタ５３によって表示するスタンドアロンモードとの間において、切替え可能である。
【００１５】
また本体１７の上面には凹部１８が形成されている。トラックボール５７とクリックボタン５８は凹部１８に設けられ、液晶モニタ５３が本体１７側に倒された状態において、液晶モニタ５３に干渉しないように配置されている。トラックボール５７は液晶モニタ５３の画面上に表示されるカーソルを移動させるために用いられる。クリックボタン５８は、画面上に表示されるボタンの選択等のために用いられる。
【００１６】
本体１７の前面には、電源のオンオフ切替えを行なうための電源スイッチ６４と表示ランプ６３（図１参照）が設けられている。また前面には、フィルムＭ（図１参照）を本体１７に挿入して、後述するステージ１２（図４参照）に装着するためのフィルム挿入口６５が形成されている。
【００１７】
図３は画像読取装置を後方から見た斜視図である。
本体１７の背面には、ビデオ出力端子５４（図１参照）と電力供給コネクタ６２（図１参照）と入出力端子４８（図１参照）が設けられている。ビデオ出力端子５４には、ケーブルを介して映像表示装置が接続される。電力供給コネクタ６２にはＡＣアダプタプラグ６７が接続され、入出力端子４８には、ケーブルを介してコンピュータ８０が接続される。
【００１８】
図４は原稿移送機構１０、光源２０およびラインセンサ３０を示している。ネガフィルムＭは枠状のホルダ１１に支持され、ホルダ１１は板状のステージ１２に止め具１３によって固定される。ステージ１２の近傍には、ホルダ１１の有無を検出するためのセンサ２５が設けられている。ステージ１２には、フィルムＭに対応した位置に、図示しない開口が形成されている。ステージ１２の側端面にはラック１４が形成され、このラック１４には原稿送りモータ１５の出力軸に設けられたピニオン１６が噛合している。原稿送りモータ１５はシステムコントロール回路４０の制御に基づいて駆動され、フィルムＭの位置が制御される。すなわち、ラック１４、原稿送りモータ１５、ピニオン１６によって、原稿移送機構１０が構成される。
【００１９】
光源２０はステージ１２の上方に位置し、レッド（Ｒ）、グリーン（Ｇ）およびブルー（Ｂ）の光を出射する発光素子２１Ｒ、２１Ｇ、２１Ｂを有している。光源２０とステージ１２の間には、ステージ１２の幅方向に延びるシリンドリカルレンズ２３が配設されている。
【００２０】
ステージ１２の下方であって光源２０に対応した位置には、ミラー３３（図１では省略されている）が配設されている。シリンドリカルレンズ２３とミラー３３はステージ１２の幅方向に延びている。ミラー３３はステージ１２に対して約４５度だけ傾斜している。またステージ１２の下方であってミラー３３に対向した位置には結像レンズ３１が設けられている。結像レンズ３１の後方にはラインセンサ３０が配設され、ラインセンサ３０はミラー３３に平行に延びている。
【００２１】
光源２０の発光素子２１Ｒ、２１Ｇ、２１Ｂは、フィルムＭに記録された画像の読取動作時、光源駆動回路４１の制御により、所定の順序で発光し、各発光素子から出射された光はシリンドリカルレンズ２３によって集光され、フィルムＭ上にライン状に照射される。これにより、フィルムＭに記録された画像が結像レンズ３１を介してラインセンサ３０の受光面に結像される。
【００２２】
図５は、システムコントロール回路４０において実行され、リモートモードとスタンドアロンモードの間の切替えを行なうためのプログラムのフローチャートである。このプログラムは、電源スイッチ６４が押されて画像読取装置への電力供給が行なわれている間、所定の時間間隔で割込み処理される。
【００２３】
ステップ１０１では、モード切替スイッチ５９がオン状態であるか否かが判定される。モード切替スイッチ５９がオン状態であるとき、すなわち液晶モニタ５３が倒されてモード切替スイッチ５９が押下されているとき、ステップ１０２へ進み、リモートモードが設定され、画像読取装置の動作はコンピュータ８０によって制御される。ステップ１０３では、液晶モニタ５３のバックライト５６が消灯され、ステップ１０１へ戻る。
【００２４】
これに対し、ステップ１０１においてモード切替スイッチ５９がオフ状態であると判定されたとき、すなわち液晶モニタ５３が起されてモード切替スイッチ５９が解放されているとき、ステップ１０４が実行されてスタンドアロンモードが設定される。スタンドアロンモードでは、画像読取装置はコンピュータ８０とは独立に制御され、液晶モニタ５３の画面に表示されたボタン等を、トラックボール５７、クリックボタン５８等を操作することによって、画像読取装置の動作が制御される。ステップ１０５では、液晶モニタ５３とバックライト５６がオン状態に定められ、ステップ１０１へ戻る。
【００２５】
なお、フィルムＭに記録された画像の読取動作、ホワイトバランス調整等の動作は従来公知であるので説明を省略する。
【００２６】
以上のように第１の実施形態では、液晶モニタ５３が倒されているときはリモートモードが設定され、液晶モニタ５３のバックライト５６がオフ状態に定められる。すなわちリモートモードでは、図１に二点鎖線Ｊで囲んで示す回路への電力供給が停止され、これにより消費電力は、バックライト５６を点灯させておく場合と比較して、約３Ｗ（６Ｖ×５００ｍＡ）だけ削減される。
【００２７】
図６は、第２の実施形態において、リモートモードとスタンドアロンモードの間の切替えを行なうためのプログラムのフローチャートである。このプログラムは、電源スイッチ６４が押されて画像読取装置への電力供給が行なわれている間、所定の時間間隔で割込み処理される。電気的な回路構成と機械的な構成は、第１の実施形態と同様である。図６においてステップ２０１〜２０５は、図５のステップ１０１〜１０５にそれぞれ対応している。
【００２８】
ステップ２０３では、リモートモードにおいて画像の読取動作に不必要な回路ブロック、すなわち図１において一点鎖線Ｋによって囲まれた、画像を表示したり外部装置に出力するための回路ブロックへの電力供給が停止される。ステップ２０５では、その回路への電力供給が行なわれる。その他のステップ２０１、２０２、２０４は、ステップ１０１、１０２、１０４と同様である。
【００２９】
第２の実施形態では、リモートモードにおいて、液晶モニタ５３のバックライト５６だけでなく、画像の読取動作に不必要な回路ブロックへの電力供給が停止されるので、第１の実施形態よりもさらに省力化を図ることができ、消費電力は、その回路ブロックへの電力供給を行なう場合と比較して、約４Ｗだけ削減される。
【００３０】
図７は、第３の実施形態において、リモートモードとスタンドアロンモードの間の切替えを行なうためのプログラムのフローチャートである。このプログラムは、電源スイッチ６４が押されて画像読取装置への電力供給が行なわれている間、所定の時間間隔で割込み処理される。モード切換スイッチ５９は、全押しと半押しの２段階の操作が可能である。その他の構成に関しては、第３の実施形態は第１の実施形態と同様である。
【００３１】
ステップ３０１では、スタンドアロンモードが設定される。ステップ３０２では、モード切替スイッチ５９が全押しされているか否かが判定される。モード切替スイッチ５９は液晶モニタ５３を本体１７側に倒した状態において全押しされる。モード切替スイッチ５９が全押しされていないとき、ステップ３１０が実行され、モード切替スイッチ５９が半押しされているか否かが判定される。半押しはオペレータがモード切替スイッチ５９を軽く押している状態である。モード切替スイッチ５９が半押しされていないときステップ３０２へ戻る。
【００３２】
したがって、液晶モニタ５３が起されており、かつオペレータがモード切替スイッチ５９を操作していないとき、ステップ３０２、３１０が繰り返し実行され、スタンドアロンモードが維持される。
【００３３】
ステップ３０２においてモード切替スイッチ５９が全押しされていると判定されたとき、ステップ３０３へ進み、リモートモードが設定される。ステップ３０４ではモード切替スイッチ５９が全押しされているか否かが判定され、全押しされている間、ステップ３０４は繰り返し実行され、全押しされていなければステップ３０１へ戻る。
【００３４】
したがって、液晶モニタ５３を倒している状態では、ステップ３０４が繰り返し実行されてリモートモードが維持される。この状態から液晶モニタ５３が起されてモード切替スイッチ５３が解放されると、ステップ３０１へ戻り、スタンドアロンモードに切替えられる。
【００３５】
ステップ３１０においてモード切替スイッチ５９が半押しされていると判定されたとき、ステップ３１１が実行され、リモートモードが設定される。次いでステップ３１２ではモード切替スイッチ５９がオフ状態であるか否か、すなわち解放されたか否かが判定される。モード切替スイッチ５９が半押しされている間、ステップ３１２は繰り返し実行され、モード切替スイッチ５９が解放されると、ステップ３１３へ進む。ステップ３１３では、モード切替スイッチ５９が全押しされているか否かが判定される。モード切替スイッチ５９が全押しされているとき、ステップ３０３へ進み、モード切替スイッチ５９が全押しされていないとき、ステップ３１４へ進む。ステップ３１４ではモード切替スイッチ５９が半押しされているか否かが判定され、半押しされていないとき、ステップ３１３へ戻り、半押しされたとき、ステップ３１５へ進む。
【００３６】
したがって、モード切替スイッチ５９が半押しされて解放された場合、ステップ３１０〜３１４がこの順に実行された後、ステップ３１３、３１４が繰り返し実行され、リモートモードが維持される。この状態においてモード切替スイッチ５９が全押しされると、すなわち液晶モニタ５３が倒されると、ステップ３１３からステップ３０３へ移り、リモートモードが維持される。
【００３７】
これに対し、ステップ３１４においてモード切替スイッチ５９が再び半押しされたことが検出されると、ステップ３１５が実行され、スタンドアロンモードが設定される。ステップ３１６ではモード切替スイッチ５９が解放されたか否かが判定される。ステップ３１６はモード切替スイッチ５９が半押しされている間、繰り返し実行され、モード切替スイッチ５９が解放されるとステップ３０２へ戻る。
【００３８】
したがって、モード切替スイッチ５９が半押しされてステップ３１５においてスタンドアロンモードが設定された後、モード切替スイッチ５９が解放された場合、ステップ３１０、３０２が繰り返し実行され、スタンドアロンモードが維持される。この状態においてモード切替スイッチ５９が半押しされると、ステップ３１０からステップ３１１へ移り、リモートモードに切替えられる。
【００３９】
すなわちモード切替スイッチ５９を半押しして解放することによって、リモートモードとスタンドアロンモードの間の切替えが行なわれる。
【００４０】
なお第３の実施形態では、リモートモードとスタンドアロンモードの切替動作に連動して、第１の実施形態と同様に液晶モニタ５３のバックライト５６への電力供給がオンオフ制御されるが、第２の実施形態のように、画像の読取動作に不必要な回路ブロックへの電力供給をオンオフ制御してもよい。
【００４１】
以上のように第３の実施形態によれば、オペレータがモード切替スイッチ５９を操作することによって、リモートモードとスタンドアロンモードの切替えを実行することができ、第１および第２の実施形態と同様に消費電力を削減することができる。
【００４２】
【発明の効果】
以上のように本発明によれば、画像読取装置において、スタンドアロンモードにおける消費電力を削減することができる。
【図面の簡単な説明】
【図１】本発明の第１の実施形態である画像読取システムを示すブロック図である。
【図２】画像読取装置を前方から見た斜視図である。
【図３】画像読取装置を後方から見た斜視図である。
【図４】原稿移送機構、光源およびラインセンサを示す斜視図である。
【図５】第１の実施形態において、リモートモードとスタンドアロンモードの間の切替えを行なうためのプログラムのフローチャートである。
【図６】第２の実施形態において、リモートモードとスタンドアロンモードの間の切替えを行なうためのプログラムのフローチャートである。
【図７】第３の実施形態において、リモートモードとスタンドアロンモードの間の切替えを行なうためのプログラムのフローチャートである。
【符号の説明】
５３  液晶モニタ
５６  バックライト
８０  コンピュータ
８１  モニタ
【図１】
0003911111.tif 000002
【図２】
0003911111.tif 000003
【図３】
0003911111.tif 000004
【図４】
0003911111.tif 000005
【図５】
0003911111.tif 000006
【図６】
0003911111.tif 000007
【図７】
0003911111.tif 000008